(57)【要約】【課題】取付面に垂下突設される排水管の種々の形態に対応し易く、仕上がり外観良く納まるよう簡単に施工することができる雨樋集水ますを提供する。【解決手段】上方へ矩形状に開口した箱型のます本体１と、ます本体１の上方開口部２に嵌着される矩形状の蓋体３とを備え、蓋体３の中程には上方から排水管４が挿入される排水管導入口５が開口形成され、同蓋体３の四隅には取付孔７が配置穿設されており、取付孔７に挿通される固定具で蓋体３が取付面８に固定されることで同蓋体３が嵌着されるます本体１と共に取付支持される雨樋集水ますにおいて、排水管導入口５を蓋体３の外形に沿った略矩形状に形成し、この略矩形状の排水管導入口５の各辺縁を外側へ膨らむように曲成して、隣合う両辺縁を同排水管導入口５の角部分から鈍角に広がるように形成した。【選択図】図１
2008127861.tif 000002
【特許請求の範囲】
【請求項１】
上方へ矩形状に開口した箱型のます本体と、ます本体の上方開口部に嵌着される矩形状の蓋体とを備え、蓋体の中程には上方から排水管が挿入される排水管導入口が開口形成され、同蓋体の四隅には固定具が挿通される取付孔が配置穿設されており、取付孔に挿通される固定具で蓋体が建物の取付面に固定されることで同蓋体が嵌着されるます本体と共に取付支持される雨樋集水ますであって、排水管導入口を蓋体の外形に沿った略矩形状に形成し、この略矩形状の排水管導入口の各辺縁を外側へ膨らむように曲成して、隣合う両辺縁を同排水管導入口の角部分から鈍角に広がるように形成してなる雨樋集水ます。
【請求項２】
四隅の取付孔を避けるように排水管導入口の各角部分を略円弧状に面取りした形状として形成したことを特徴とする請求項１記載の雨樋集水ます。
【発明の詳細な説明】
【技術分野】
【０００１】
本願発明は、上方へ開口した箱型のます本体と、ます本体の上方開口部に嵌着される矩形状の蓋体とを備え、例えば、ベランダ、バルコニー、玄関ポーチ等の下側に取り付けらてその上側からの雨水を排水する雨樋集水ますに関するものである。
【背景技術】
【０００２】
従来から、図５に示すように、上方へ矩形状に開口した箱型のます本体１と、ます本体１の上方開口部２に嵌着される矩形状の蓋体３とを備えた雨樋集水ますは知られている（特許文献１）。この雨樋集水ますは、ベランダ、バルコニー、玄関ポーチ等の下側面となる取付面に固定され、これ等の上側から雨水等の排水を流下案内するために同取付面に垂下突設された排水管が蓋体３を貫通され、この排水管から流下する排水をます本体１内に受けるものである。
【０００３】
この場合、蓋体３は軟質材で形成されており、施工現場において、取付面から垂下する排水管に対応させて排水管導入口５を切断除去して形成するものである。また、ます本体１の上方開口部２の開口縁部分には対向する位置に一対の取付孔７が配設されており、この上方開口部２に前記蓋体３を嵌着した後、同取付孔７に下方から挿通される固定具６によって取付面に固定される。そして、ます本体１の底部分には落とし口筒部１８が垂設されており、前記ます本体１内に受けられた排水は同落とし口筒部１８から竪樋等を介して排水除去される。
【特許文献１】特開平７−１１３３０３号公報
【発明の開示】
【発明が解決しようとする課題】
【０００４】
しかしながら、上記従来例である雨樋集水ますにあっては、取付面から垂下する排水管に対応して排水管導入口５が形成されるものではあるが、この排水管導入口５は施工現場において切断除去して形成されるものであり、その作業が面倒である。しかも、ます本体１の上方開口部２の開口縁部分に形成された取付孔７に下方から挿通される固定具６によって取付面に固定されるものであるため、下方に同取付孔７や固定具６等の固定手段が露出して体裁は良くない。また、前記固定手段が外側に存在するためます本体１の外形状は小さくなり、その分だけ排水容量が減少してしまう。
【０００５】
そこで、図６、７に示すように、上方へ矩形状に開口した箱型のます本体１と、ます本体１の上方開口部２に嵌着される矩形状の蓋体３とを備え、蓋体３の中程に上方から排水管４が挿入される排水管導入口５を予め開口形成した雨樋集水ますが提案されている。この場合、蓋体３の四隅には固定具が挿通される取付孔７が配置穿設されており、取付孔７に挿通される固定具で蓋体３が建物の取付面８に固定されることで同蓋体３が嵌着されるます本体１と共に取付支持される。
【０００６】
そして、排水管導入口５は蓋体３の外形に沿った略矩形状に形成されており、予め同排水管導入口５が形成されているので施工現場での作業は容易となる。また、施工現場においては、取付面８に垂下突設された排水管４を排水管導入口５に挿入した状態で、蓋体３を取付孔７に下方から挿通される固定具６によって同取付面８に固定し、この固定された蓋体３にます本体１を嵌着させて取り付けることができる。この場合、取付孔７や固定具等の固定手段がます本体１により下方から覆われれて露出せず、外観は良好に納まり、同ます本体１の排水容量も大きく確保される。
【０００７】
ところが、この場合、図６（ａ）に示すように、略矩形状に形成された排水管導入口５の各辺縁５ａは直線状であり、同排水管導入口５の開口面積が小さくなっている。そのため、排水管４の径が大きい場合や二本の排水管４が垂下突設されている場合に、これ等の排水管４を排水管導入口５に挿入することができずに対応不能となることがあった。そしてまた、図７に示すように、排水管４が取付面８のコーナーに近接した位置で垂下突設されている場合には、蓋体３の排水管導入口５の角部分が同排水管４に当接してしまい、同取付面８のコーナーから蓋体３が外側に突出した状態で取り付けられ、施工仕上がり外観が良好に納まらないこともあった。
【０００８】
本願発明は、上記背景技術に鑑みてなされたもので、その課題は、取付面に垂下突設される排水管の種々の形態に対応し易く、仕上がり外観良く納まるよう簡単に施工することができる雨樋集水ますを提供することである。
【課題を解決するための手段】
【０００９】
上記課題を解決するために、本願請求項１記載の発明は、上方へ矩形状に開口した箱型のます本体と、ます本体の上方開口部に嵌着される矩形状の蓋体とを備え、蓋体の中程には上方から排水管が挿入される排水管導入口が開口形成され、同蓋体の四隅には固定具が挿通される取付孔が配置穿設されており、取付孔に挿通される固定具で蓋体が建物の取付面に固定されることで同蓋体が嵌着されるます本体と共に取付支持される雨樋集水ますであって、排水管導入口を蓋体の外形に沿った略矩形状に形成し、この略矩形状の排水管導入口の各辺縁を外側へ膨らむように曲成して、隣合う両辺縁を同排水管導入口の角部分から鈍角に広がるように形成してなる。
【００１０】
本願請求項２記載の発明は、請求項１記載の雨樋集水ますにおいて、四隅の取付孔を避けるように排水管導入口の各角部分を略円弧状に面取りした形状として形成したことを特徴とする。
【発明の効果】
【００１１】
本願請求項１記載の発明である雨樋集水ますにおいては、排水管導入口を工場等で予め形成しておくことができるので、これにより施工現場での作業は容易となる。また、施工現場においては、取付面に垂下突設された排水管を排水管導入口に挿入した状態で、取付孔に下方から挿通される固定具によって蓋体を同取付面に固定し、この固定された蓋体にます本体を嵌着させて簡単に取り付けることもできる。この場合に、取付孔や固定具等の固定手段をます本体で下方から覆い隠すことができ、これにより外観を良好に納めることができ、同ます本体の排水容量を大きく確保することもできる。
【００１２】
しかも、蓋体の外形に沿って略矩形状に形成された排水管導入口の各辺縁を外側へ膨らむように曲成して、隣合う両辺縁を同排水管導入口の角部分から鈍角に広がるように形成しているので、排水管を同排水管導入口にその角部分に近付けた状態で挿入することができる。そのため、例えば、二本の排水管を対角に配置して排水管導入口に挿入したり、一本でも径の大きな排水管を同排水管導入口に挿入したりして、取付面に垂下突設されるこれ等排水管の種々の形態に対応し易くなる。また、排水管が取付面のコーナーに近接した位置で垂下突設されている場合に、排水管を排水管導入口にその角部分に近付けた状態で挿入することにより、蓋体を同取付面のコーナーから外側に突出しないように取り付けることができ、施工仕上がり外観に支障を来たさない。
【００１３】
本願請求項２記載の発明である雨樋集水ますにおいては、特に、排水管導入口の各角部分を略円弧状に面取りした形状として四隅の取付孔を避けているので、略矩形状に形成される排水管導入口を全体的に広げてその開口面積をより大きく確保することができ、取付面に垂下突設される排水管の種々の形態への対応は更に容易となる。
【発明を実施するための最良の形態】
【００１４】
図１〜４は、本願請求項１、２全てに対応した一実施形態を示している。この実施形態の雨樋集水ますは、上方へ矩形状に開口した箱型のます本体１と、ます本体１の上方開口部２に嵌着される矩形状の蓋体３とを備えている。そして、蓋体３の中程には上方から排水管４が挿入される排水管導入口５が開口形成され、同蓋体３の四隅には固定具６が挿通される取付孔７が配置穿設されており、取付孔７に挿通される固定具６で蓋体３が建物の取付面８に固定されることで同蓋体３が嵌着されるます本体１と共に取付支持されるものである。
【００１５】
この実施形態の雨樋集水ますでは、図２に示すように、排水管導入口５を蓋体３の外形に沿った略矩形状に形成し、この略矩形状の排水管導入口５の各辺縁５ａを外側へ膨らむように曲成して、隣合う両辺縁５ａを同排水管導入口５の角部分から鈍角αに広がるように形成している。また、この実施形態の雨樋集水ますでは、四隅の取付孔７を避けるように排水管導入口５の各角部分を略円弧状に面取りした形状Ｒとして形成してもいる。
【００１６】
以下、この実施形態の雨樋集水ますをより具体的詳細に説明する。この実施形態の雨樋集水ますは、図１、４に示すように、ベランダ、バルコニー、玄関ポーチ等の下側面となる取付面８に固定され、これ等の上側から雨水等の排水を流下案内するために同取付面８に垂下突設された排水管４が蓋体３の排水管導入口５を貫通され、この排水管４から流下する排水をます本体１内に受けるものである。そして、ます本体１の底部分には落とし口９が形成され、この落とし口９には接続筒体１０が取り付けられるものであり、前記ます本体１内に受けられた排水は同接続筒体１０を介して接続される竪樋１１へと排水除去される。
【００１７】
ます本体１は外形が略直方体形状で下狭まりの箱型であり、その上面全体が矩形状の上方開口部２として形成され、その底部には前記落とし口９が形成されて、合成樹脂で一体に射出成形されたものである。そして、落とし口９には前記接続筒体１０が着脱自在に取り付けられ、この接続筒体１０を介して竪樋１１が同落とし口９から垂下されるように接続される。また、ます本体１の上方開口部２には、全周にわたって外方へ折曲したフランジ片１２が一体に形成されている。
【００１８】
蓋体３は前記ます本体１の上方開口部２と略合致する矩形状に形成され、その中程にはその大部分を占める大きさで同蓋体３の外形に沿った略矩形状の排水管導入口５が開口形成されており、合成樹脂で一体に射出成形されたものである。図１に示すように、蓋体３の四隅の片辺側には係止片１３が配設されており、図３に示すように、同係止片１３は断面略Ｌ字状に折曲するように垂下されていて、前記フランジ片１２が各係止片１３に係止され、これにより前記ます本体１はその上方開口部２で蓋体３に対して着脱自在に嵌着固定される。この場合、上方開口部２の四隅が蓋体３の四隅から外れた状態で同蓋体３の下側にます本体１は配置され、この状態から同ます本体１を回動させることにより前記フランジ片１２が各係止片１３に係止される。
【００１９】
蓋体３には前記各係止片１３に対応した個所に抜き開口１４が形成されており、これは射出成形時の型抜きのために必要な構造である。そして、蓋体３の四隅には固定具６が挿通される取付孔７が配置穿設されており、取付孔７に挿通されるネジ、釘等の固定具６によって同蓋体３は取付面８に固定され、これにより同蓋体３が嵌着されるます本体１と共に取付支持される。また、蓋体３の外周縁には全周にわたって上方へ突出した凸リブ１５が立設されると共に、前記取付孔７の周囲が上方へ突出したボス１６として立設されており、このボス１６の上端及び同凸リブ１５の上縁が取付面８に当接される。
【００２０】
この場合、取付孔７は前記排水管導入口５と抜き開口１４との間に位置しており、同取付孔７が形成される前記ボス１６の部位は蓋体３に対して上下に弾性変形し易くなっている。そのため、前記ボス１６の上端及び凸リブ１５の上縁が取付面８に安定した状態で当接されて、蓋体３は同取付面８に対しがたつきなく確実に固定される。また、蓋体３の排水管導入口５の口縁（四辺縁５ａ）全周には内下方へと湾曲状に傾斜して垂下した口縁片１７が形成されており、この口縁片１７にガイドされて排水管４はスムーズに挿入され安定的に保持される。なお、蓋体３において、前記口縁片１７だけを弾性に富んだ軟質材で形成してもよい。
【００２１】
更に、前記蓋体３において、図２に示すように、前記排水管導入口５が同蓋体３の中程にその外形に沿った略矩形状に形成されている。また、略矩形状の排水管導入口５の各辺縁５ａは外側へ膨らむよう湾曲状に曲成されており、隣合う両辺縁５ａが同排水管導入口５の角部分から鈍角αに広がるように形成されて各辺縁５ａは連続している。そして、前記四隅の取付孔７を避けるように、排水管導入口５の各角部分は略円弧状に面取りした形状Ｒとして形成されており、この面取りした形状Ｒの略円弧状両端における両接線が前記鈍角αとして広がるものである。
【００２２】
したがって、この実施形態の雨樋集水ますにおいては、排水管導入口５を工場等で予め所定の大きさ形状に形成しておくことができ、図５に示した従来例のように、施工現場において排水管導入口５を切断除去して形成する必要はないので、施工現場での取付作業が容易となる。また、施工現場においては、取付面８に垂下突設された排水管４を排水管導入口５に挿入した状態で、取付孔７に下方から挿通される固定具６によって蓋体３を同取付面８に固定し、この固定された蓋体３にます本体１を嵌着させて簡単に取り付けることもできる。この場合、取付孔７や固定具６等の固定手段がます本体１で下方から覆い隠されて外観良好に納まり、同ます本体１の排水容量も大きく確保される。
【００２３】
しかも、蓋体３の外形に沿って略矩形状に形成された排水管導入口５の各辺縁５ａを外側へ膨らむように曲成することにより、隣合う両辺縁５ａは同排水管導入口５の角部分から鈍角αに広がるように形成されているので、排水管４を同排水管導入口５にその角部分に近付けた状態で挿入することができる。そのため、例えば、図２、４に示すように、二本の少し太めの排水管４（この場合は外径６０ｍｍ）を対角に配置して排水管導入口５に挿入することができ、一本でも径の相当に大きな排水管４を同排水管導入口５に挿入することもでき、取付面８に垂下突設されるこれ等排水管４の種々の形態に対応し易くなっている。
【００２４】
また、図４に示すように、排水管４が取付面８のコーナーに近接した位置で垂下突設されている場合（この場合は排水管４が二本であるが一本の場合も同様）に、排水管４を排水管導入口５にその角部分に近付けた状態で挿入することにより、蓋体３を同取付面８のコーナーから外側に突出しないように取り付けることができ、施工仕上がり外観に支障を来たさない。
【００２５】
更に、この実施形態の雨樋集水ますにおいては、排水管導入口５の各角部分を略円弧状に面取りした形状Ｒとして四隅の取付孔７を避けているので、略矩形状に形成される排水管導入口５の口縁（四辺縁５ａ）を全体的に広げてその開口面積をより大きく確保することができ、取付面８に垂下突設される排水管４の種々の形態への対応は極めて容易なものとなっている。
【図面の簡単な説明】
【００２６】
【図１】本願発明の一実施形態である雨樋集水ますの施工状態を例示する分解斜視図。
【図２】同雨樋集水ますの蓋体を示す上面図。
【図３】同雨樋集水ますの取付状態を示す拡大断面図。
【図４】同雨樋集水ますの施工状態を例示する概略分解斜視図。
【図５】従来例である雨樋集水ますを示す分解斜視図。
【図６】先の提案例である雨樋集水ますの蓋体を示す（ａ）は平面図、（ｂ）は側面図（二点鎖線はます本体を示す）。
【図７】（ａ）は同雨樋集水ますの取付部位、（ｂ）は同雨樋集水ますの取付状態を各々示す斜視図。
【符号の説明】
【００２７】
１  ます本体
２  上方開口部
３  蓋体
４  排水管
５  排水管導入口
５ａ  辺縁
６  固定具
７  取付孔
８  取付面
α  鈍角
Ｒ  面取りした形状
【図１】
2008127861.tif 000003
【図２】
2008127861.tif 000004
【図３】
2008127861.tif 000005
【図４】
2008127861.tif 000006
【図５】
2008127861.tif 000007
【図６】
2008127861.tif 000008
【図７】
2008127861.tif 000009